(57)【特許請求の範囲】
【請求項１】
二重化されて伝送された、ペイロード部にＡＴＭセルを含むＳＴＭ信号を現用系ＳＴＭ信号と予備系ＳＴＭ信号として別々に受信する段階と、
それぞれ受信した信号からＡＴＭセルを取り出し現用系ＡＴＭセルと予備系ＡＴＭセルとして別々に下流に流すＡＴＭセルストリーム段階と、
前記取り出したＡＴＭセルのうち、接続品質または伝送品質が異常であった場合にＡＴＭセルのヘッダのＶＰＩに予め設定してある固定値を挿入するＶＰＩ値挿入段階とを有し、
前記ＶＰＩ値挿入後のＡＴＭセルストリームのうち、同期された現用系ＡＴＭセルと予備系ＡＴＭセルのそれぞれのヘッダのＶＰＩ値において、現用系ＡＴＭセルのＶＰＩ値のみが設定固定値である場合は予備系のＡＴＭセルを選択し通過させ、現用系、予備系ともにＶＰＩ値が設定固定値である場合はいずれのＡＴＭセルも通過させず、それら以外の場合は現用系のＡＴＭセルを選択し通過させるフィルター段階とからなることを特徴とするＳＤＨ回線の受信側ＡＴＭセルストリームのフィルター方法。
【請求項２】
前記接続品質または伝送品質の異常が受信段階での回線断の検知または受信した段階のＳＴＭ信号のフレーム内のセクションオーバーヘッド部に含まれるＫ１／Ｋ２バイト情報から認識されることを特徴とする請求項１に記載のＳＤＨ回線の受信側ＡＴＭセルストリームのフィルター方法。
【請求項３】
前記フィルター段階で現用系、予備系いずれのＡＴＭセルも通過させなかった場合にその空きセル部分にＡＩＳセルを挿入することを特徴とする請求項１または請求項２に記載のＳＤＨ回線の受信側ＡＴＭセルストリームのフィルター方法。
【請求項４】
ＳＤＨ回線受信側の二重化された伝送路を経由して伝送されるペイロード部にＡＴＭセルを含むＳＴＭ信号に対応した現用系受信パッケージと予備系受信パッケージとを有し、
それぞれの受信パッケージには、そのＳＴＭ信号を受信し、そのＳＴＭ信号からＡＴＭセルを取り出してＡＴＭセルストリームとして下流側に流し、接続品質または伝送品質が異常であった場合にライン状態信号を出力する終端部と、
入力された前記ライン状態信号に対応するＡＴＭセルを特定し、そのＡＴＭセルを指定する信号を出力するＶＰＩ挿入制御部と、
入ってきたＡＴＭセルストリームのうち、入力された前記ＡＴＭセル指定信号により指定されるＡＴＭセルのヘッダのＶＰＩに予め設定されている固定値を挿入し、そのＡＴＭセルストリームを下流側に流すＶＰＩ挿入部とが設けられ、
さらに、ＶＰＩ挿入部から送り出される現用系ＡＴＭセルストリームと予備系ＡＴＭセルストリームとが同期されて入力され、両系統それぞれのＡＴＭセルごとのセルヘッダのＶＰＩ値を比較し、ＡＴＭセルを選択指示するセル選択制御信号を出力するセル選択制御信号発生部と、
ＶＰＩ挿入部から送り出される現用系ＡＴＭセルストリームと予備系ＡＴＭセルストリームとが同期されて入力され、入力される前記セル選択制御信号の指示により対象のＡＴＭセルを選択通過させ、ＡＴＭセルストリームとして下流側に流すセル選択フィルター部とが設けられることを特徴とするＳＤＨ回線の受信側ＡＴＭセルストリームのフィルター装置。
【請求項５】
前記終端部におけるライン状態信号の出力条件となる接続品質または伝送品質の異常が受信段階での回線断の検知または受信した段階のＳＴＭ信号のフレーム内のセクションオーバーヘッド部に含まれるＫ１／Ｋ２バイト情報の読み取りによって認識されることを特徴とする請求項４に記載のＳＤＨ回線の受信側ＡＴＭセルストリームのフィルター装置。
【請求項６】
前記セル選択制御信号発生部におけるＡＴＭセル選択設定条件を、
現用系ＡＴＭセルのＶＰＩ値のみが設定固定値である場合は予備系のＡＴＭセルを選択し通過させ、
現用系、予備系ともにＶＰＩ値が設定固定値である場合はいずれのＡＴＭセルも通過させず、
それら以外の場合は現行系のＡＴＭセルを選択し通過させる条件とすることを特徴とする請求項４または請求項５に記載のＳＤＨ回線の受信側ＡＴＭセルストリームのフィルター装置。
【請求項７】
前記セル選択制御信号生成部において現用系、予備系いずれのＡＴＭセルも通過させない条件となる場合にその空きセルを指定する信号を出力し、
前記セル選択フィルター部から入ってきたＡＴＭセルストリームのうち、入力された前記セル指定信号により指定される空きセル部分にＡＩＳセルを挿入するＡＩＳ挿入部を有することを特徴とする請求項６に記載のＳＤＨ回線の受信側ＡＴＭセルストリームのフィルター装置。
【発明の詳細な説明】
【０００１】
【発明の属する技術分野】
本発明はＳＤＨ回線で二重化された伝送路を経由して伝送されるペイロード部にＡＴＭセルを含むＳＴＭ信号に対応した受信側装置において、接続品質または伝送品質の劣化・不良が発生した場合のＡＴＭセルストリームのフィルター方法及び装置に関する。
【０００２】
【従来の技術】
通信ネットワークにおいては従来よりある一定レベル以上の接続品質や伝送品質などの通信品質を確保するために種々の対策が講じられており、ＳＤＨ回線においても送信側で情報を二重化処理して２つの伝送路（光ファイバー）を経由させてＳＴＭ信号として送信し、受信側ではそれぞれのＳＴＭ信号を別々に受信する、いわゆる通信伝送路の二重化対策がとられている。この場合に受信側装置では２つの同一の情報を受信するためにいずれか一方の情報を取捨選択することを行っている。
【０００３】
なお、ここでＳＤＨとは、同期ディジタル・ハイアラーキ（Ｓｙｎｃｈｒｏｎｏｕｓ  Ｄｉｇｉｔａｌ  Ｈｉｅｒａｒｃｈｙ）の略号で、光ファイバによる情報伝送の符号化ルール（変換方式）を定めた国際標準規格を意味し、ＳＤＨ回線とはその規格に準じた通信回線のことを示す。また、ＳＴＭとは、同期転送モード（Ｓｙｎｃｈｒｏｎｏｕｓ  Ｔｒａｎｓｆｅｒ  Ｍｏｄｅ）の略号で、ＳＴＭ信号のフレームはセクションオーバーヘッド部、パスオーバーヘッド部、ペイロード部から構成され、ＡＴＭセルはペイロード部に格納されて伝送されている。ＡＴＭとは、非同期転送モード（Ａｓｙｎｃｈｒｏｎｏｕｓ  Ｔｒａｎｓｆｅｒ  Ｍｏｄｅ）の略号である。
【０００４】
以下に、その方式について図３に示す二重化送受信装置を例として説明する。ここではＳＤＨ回線の受信側においてＡＴＭセルストリームを切替する方式を採用している。
図３に示されるＳＤＨ回線の二重化送受信装置は、
現用系ラインに接続されている受信側終端部１１０とＡＰＳ情報抽出部１１１と出力制御部１１２と送信側生成部１１３とを備える現用系パッケージ１０１と、
予備系ラインに接続されている受信側終端部１１５とＡＰＳ情報抽出部１１６と出力制御部１１７と送信側生成部１１８とを備える予備系パッケージ１０２と、
出力制御信号生成部１１９とＡＩＳ挿入制御部１２０とＡＩＳ挿入部１２２とバッファリング１２３とを備える共通パッケージ１０３と、
から構成されている。
装置構成ユニットのうち、受信側終端部１１０、１１５とＡＰＳ情報抽出部１１１、１１６と出力制御部１１２、１１７と出力制御信号生成部１１９とＡＩＳ挿入制御部１２０とＡＩＳ挿入部１２２とが受信に関わっており、送信側生成部１１３、１１８とバッファリング１２３とが送信に関わっている。なお、図中の矢印は各ユニット間の信号のやり取りを示している。
ここで、ＡＰＳは自動切替（Ａｕｔｏｍａｔｉｃ  Ｐｒｏｔｅｃｔｉｏｎ  Ｓｗｉｔｃｈ）の略号で、ＡＰＳ情報はセクションオーバーヘッド部に含まれるＫ１／Ｋ２バイト情報のことであり、本バイトには伝送品質を示す情報と回線状態を示す情報（Ｌｉｎｅ−ＡＩＳ）が含まれている。また、ＡＩＳとは警報表示信号（Ａｌａｒｍ  Ｉｎｄｉｃａｔｉｏｎ  Ｓｉｇｎａｌ）の略号である。
【０００５】
つぎに、二重化されたＳＴＭ信号を受信し、二重化送受信装置を経由してＡＴＭセルストリームを下流に伝達するまでの信号の流れに基づき、ＡＴＭセルストリーム切替方式を説明する。
（１）ＳＴＭ信号の受信、終端処理
▲１▼現用系パッケージ１０１；
ａ）受信側終端部１１０において現用系ライン１０４を経由してペイロード部にＡＴＭセルを含むＳＴＭ信号を光信号Ｌ１０１として受信する。
ｂ）受信した光信号Ｌ１０１を受信側終端部１１０において、光／電気変換し、
そのＳＴＭ信号についてセクションオーバヘッド、ポインタ、パスオーバヘッド及びＡＴＭセル同期の各終端処理を行い、ＡＴＭセルａ１１とセクションオーバヘッド信号ｈ１とライン状態信号ｋ１とを得る。
ライン状態信号ｋ１はセクションオーバヘッド信号ｈ１の１要素であるＫ１／Ｋ２バイトの情報である。
ｃ）受信側終端部１１０からＡＴＭセルａ１１は出力制御部１１２へ、セクションオーバヘッド信号ｈ１はＡＰＳ情報抽出部１１１へ、ライン状態信号ｋ１はＡＩＳ挿入制御部１２０へと出力される。
ここで、ＡＴＭセルａ１１は経時的に見ると次々に出力されるため、現用系のＡＴＭセルの流れ（現用系ＡＴＭセルストリーム）が形成されている。
▲２▼予備系パッケージ１０２；
予備系パッケージにおいても基本的に現用系パッケージと同様な処理が行われる。
ａ）受信側終端部１１５において予備系ライン１０５を経由してペイロード部にＡＴＭセルを含むＳＴＭ信号を光信号Ｌ１０３として受信する。
ｂ）受信した光信号Ｌ１０３を受信側終端部１１５において、光／電気変換し、
そのＳＴＭ信号についてセクションオーバヘッド、ポインタ、パスオーバヘッド及びＡＴＭセル同期の各終端処理を行い、ＡＴＭセルａ１２とセクションオーバヘッド信号ｈ２とライン状態信号ｋ２とを得る。
ライン状態信号ｋ２はセクションオーバヘッド信号ｈ２の１要素であるＫ１／Ｋ２バイトの情報である。
ｃ）受信側終端部１１５からＡＴＭセルａ１２は出力制御部１１７へ、セクションオーバヘッド信号ｈ２はＡＰＳ情報抽出部１１６へ、ライン状態信号ｋ２はＡＩＳ挿入制御部１２０へと出力される。
ここで、ＡＴＭセルａ１２は経時的に見ると次々に出力されるため、予備系のＡＴＭセルの流れ（予備系ＡＴＭセルストリーム）が形成されている。
また、ＡＴＭセルａ２３が出力制御部１１７へ到達するタイミングはＡＴＭセルａ１１が出力制御部１１２へ到達するタイミングと同期されている。
【０００６】
（２）ＡＰＳ情報抽出
▲１▼現用系パッケージ１０１；
ａ）ＡＰＳ情報抽出部１１１において入力されたセクションオーバヘッド信号ｈ１の１要素であるＫ１／Ｋ２バイトの情報を抽出する。
ｂ）抽出されたＫ１／Ｋ２バイト情報をＡＰＳ信号ｉ１としてＡＰＳ情報抽出部１１１から出力制御信号生成部１１９へ出力する。
▲２▼予備系パッケージ１０２；
予備系パッケージにおいても基本的に現用系パッケージと同様な処理が行われる。
ａ）ＡＰＳ情報抽出部１１６において入力されたセクションオーバヘッド信号ｈ２の１要素であるＫ１／Ｋ２バイトの情報を抽出する。
ｂ）抽出されたＫ１／Ｋ２バイト情報をＡＰＳ信号ｉ２としてＡＰＳ情報抽出部１１６から出力制御信号生成部１１９へ出力する。
【０００７】
（３）現用系・予備系ＡＴＭセルの選択
▲１▼出力制御信号生成部１１９；
出力制御信号生成部１１９において、入力されたＡＰＳ信号ｉ１、ｉ２を基にＫ１／Ｋ２バイト情報を解釈し、次のように出力制御信号ｊ１、ｊ２を生成し、出力する。
ａ）現用系ＡＴＭセルａ１１の接続品質及び伝送品質が正常である場合、予備系ＡＴＭセルａ１２の接続品質、伝送品質の状態に関わらず、現用系ＡＴＭセルａ１１を出力させるように出力制御信号ｊ１をアクティブとし、その信号ｊ１を出力制御部１１２へ出力する。
ｂ）現用系ＡＴＭセルａ１１の接続品質または伝送品質が異常で、予備系ＡＴＭセルａ１２の接続品質及び伝送品質が正常である場合、予備系ＡＴＭセルａ１２を出力させるように出力制御信号ｊ２をアクティブとし、その信号ｊ２を出力制御部１１７へ出力する。
ｃ）現用系ＡＴＭセルａ１１、予備系ＡＴＭセルａ１２ともに接続品質または伝送品質が異常である場合、いずれのＡＴＭセルも出力させないように出力制御信号ｊ１、ｊ２を出力しない。
なお、アクティブでない時の出力制御信号はいずれの場合もハイインピーダンス出力となっている。
▲２▼出力制御部１１２、１１７；
上記出力制御信号ｊ１、ｊ２状態ａ）、ｂ）、ｃ）に対応して、ＡＴＭセルが次のように選択出力される。
状態ａ）：出力制御部１１２より現用系ＡＴＭセルａ１１をＡＩＳ挿入部１２２へ出力する（予備系ＡＴＭセルａ１２は出力されない）。
状態ｂ）：出力制御部１１７より予備系ＡＴＭセルａ１２をＡＩＳ挿入部１２２へ出力する（現用系ＡＴＭａ１１は出力されない）。
状態ｃ）：現用系ＡＴＭセルａ１１、予備系ＡＴＭセルａ１２ともに出力されない。
【０００８】
（４）ＡＩＳセルの挿入
▲１▼ＡＩＳ挿入制御部１２０；
ＡＩＳ挿入制御部１２０において、入力されたライン状態信号ｋ１、ｋ２を基にＫ１／Ｋ２バイト情報を解釈し、次のようにＡＩＳ挿入制御信号ｅ２を生成し、ＡＩＳ挿入部１２２へ出力する。
ａ）現用系ＡＴＭセルａ１１、予備系ＡＴＭセルａ１２ともに接続品質または伝送品質が異常である場合、ＡＩＳ挿入制御信号ｅ２をアクティブにする。
ｂ）上記以外の場合、ＡＩＳ挿入制御信号ｅ２をハイインピーダンス出力とする。
▲２▼ＡＩＳ挿入部１２２；
上記ＡＩＳ挿入制御信号ｅ２の状態ａ）、ｂ）に対応して、ＡＩＳセルが対応する空きセルに次のように挿入される。
状態ａ）：ＡＩＳセルを対応する空きセルに挿入する。
状態ｂ）：ＡＩＳ挿入部１２２に入力されるセルａ１３をそのまま下流へ流す（何もしない）。
以上の受信側処理によって正常な通信品質が確保されたＡＴＭセルストリームが下流に伝送され、現用系、予備系両方の回線で故障（回線断など）が発生したために通信品質が確保されなかったセルには警報を意味するＡＩＳセルが挿入される。
【０００９】
なお、二重化送受信装置の送信側の信号処理は次のような流れで行われる。
（１）ＡＴＭセル１３６がバッファリング１２３に入力される。
（２）バッファリング１２３；
▲１▼入力されたＡＴＭセルｆ５を二重化処理し、波形を整えてＡＴＭセルｆ６とする。
▲２▼二重化されたＡＴＭセルｆ６を現用系送信側生成部１１３、予備系送信側生成部１１８へ別々に出力する。
（３）現用系送信側生成部１１３、予備系送信側生成部１１８；
▲１▼入力されたＡＴＭセルｆ６についてＡＴＭセル同期、パスオーバヘッド、ポインタ、セクションオーバヘッドの各生成処理を行い、ペイロード部にＡＴＭセルを含むＳＴＭ信号とする。
▲２▼上記▲１▼の処理された信号を電気／光変換し、光信号Ｌ１０２、Ｌ１０４とする。
▲３▼光信号Ｌ１０２、Ｌ１０４をそれぞれ現用系ライン１０４、予備系ライン１０５に出力する。
【００１０】
【発明が解決しようとする課題】
以上の方式では、ＡＴＭセルの出力制御の段階において通常状態では現用系ＡＴＭセルが選択され出力制御（つまり、スイッチオン状態）されていて、予備系ＡＴＭセルの選択出力制御はスイッチオフ状態で、ハイインピーダンス出力になっている。このとき、現用系の回線品質の劣化・不良などが発生したばあいには、予備系への切替えが行われる。すなわち、ＡＴＭセルの流れとして現用系ＡＴＭセルストリームから予備系ＡＴＭセルストリームへ切替えられるスイッチングが行われるが、このときにいわゆるデータの瞬断が起こり、ＡＴＭセルの到達遅延や欠落によるデータエラーという問題が発生していた。
また、ライン状態信号に基づき、現用系、予備系いずれの回線にも異常があった場合には該当する空きセルにＡＩＳセルを挿入して警報を発する対策が施されているが、その異常を検知判定するユニット、すなわちＡＩＳセルを挿入制御するための判定ユニット（ＡＩＳ挿入制御部）がＡＴＭセルを出力制御するための判定ユニット（出力制御信号生成部）と異なるためにいずれか一方に何らかの原因で異常信号が入った場合には本来空きセルが形成されていてもＡＩＳセルが挿入されなかったり、正常な通信品質をもつＡＴＭセルの部分にＡＩＳセルが挿入されてしまう可能性がある。
【００１１】
本発明は、以上の従来技術における問題に鑑みてなされたものであり、現用系と予備系に二重化された伝送路において、現用系ＡＴＭセルの通信品質の劣化・不良が発生し、予備系ＡＴＭセルに切替える場合のデータ瞬断を防止し、正常な通信品質を確保することができるＳＤＨ回線の受信側ＡＴＭセルストリームのフィルター方法及び装置を提供することを目的とするものである。
【００１２】
【課題を解決するための手段】
本願発明者は上記データ瞬断がＡＴＭセルストリームのスイッチ切替え動作に起因するものであり、さらに別々のユニットにあるＡＴＭセルを選択する必要があるためにスイッチ切替え方式にせざるを得ない点に着目し、本願発明をするに至った。
すなわち、前記課題を解決するために提供する本願発明に係るＳＤＨ回線の受信側ＡＴＭセルストリームのフィルター方法は、二重化されて伝送された、ペイロード部にＡＴＭセルを含むＳＴＭ信号を現用系ＳＴＭ信号と予備系ＳＴＭ信号として別々に受信する段階と、それぞれ受信した信号からＡＴＭセルを取り出し現用系ＡＴＭセルと予備系ＡＴＭセルとして別々に下流に流すＡＴＭセルストリーム段階と、前記取り出したＡＴＭセルのうち、接続品質または伝送品質が異常であった場合にＡＴＭセルのヘッダのＶＰＩに予め設定してある固定値を挿入するＶＰＩ値挿入段階とを有し、前記ＶＰＩ値挿入後のＡＴＭセルストリームのうち、同期された現用系ＡＴＭセルと予備系ＡＴＭセルのそれぞれのヘッダのＶＰＩ値において、現用系ＡＴＭセルのＶＰＩ値のみが設定固定値である場合は予備系のＡＴＭセルを選択し通過させ、現用系、予備系ともにＶＰＩ値が設定固定値である場合はいずれのＡＴＭセルも通過させず、それら以外の場合は現用系のＡＴＭセルを選択し通過させるフィルター段階とからなることを特徴とする。
【００１３】
この方法では、現用系ＡＴＭセルと予備系ＡＴＭセルを一箇所に集合させて有用なＡＴＭセルのみを透過させ選択するフィルター作用を採用することによって、スイッチ切替え方式を回避でき、データ瞬断の防止が可能となった。
また、有用なＡＴＭセルを識別するためにＡＴＭセルヘッダ部分のＶＰＩ値を活用することに着目し、ＡＴＭセルの通信品質情報を挿入することによって、ＡＴＭセルごとの通信品質を確実に確認できるようにし、現用系ＡＴＭセルと予備系ＡＴＭセルのＶＰＩ値を比較選択するロジックを持たせることによって正常な通信品質の確保が可能となった。
なお、ＶＰＩとは仮想パス識別子（ＶＰＩ（Ｖｉｒｔｕａｌ  Ｐａｔｈ  Ｉｄｅｎｔｉｆｉｅｒ））の略号で、ＡＴＭセルのヘッダ部分にある通信経路の識別に用いられるセクションのことである。
【００１４】
このフィルター方法のうち、前記接続品質または伝送品質の異常は受信段階での回線断の検知または受信した段階のＳＴＭ信号のフレーム内のセクションオーバーヘッド部に含まれるＫ１／Ｋ２バイト情報から認識される。すなわち、これらの情報をもとにＶＰＩにＡＴＭセルの通信品質情報が挿入されることになる。
また、前記フィルター段階で現用系、予備系いずれのＡＴＭセルも通過させなかった場合にその空きセル部分にＡＩＳセルを挿入する。
これによって、現用系、予備系いずれの回線にも異常があることを検知判定する根拠がＡＴＭセルを選択判断する場合とＡＩＳセル挿入を判断する場合とで同一となり、空きセル部分へのＡＩＳセルの確実な挿入が可能となる。
【００１５】
前記課題を解決するために提供する本願発明に係るＳＤＨ回線の受信側ＡＴＭセルストリームのフィルター装置は、ＳＤＨ回線受信側の二重化された伝送路を経由して伝送されるペイロード部にＡＴＭセルを含むＳＴＭ信号に対応した現用系受信パッケージと予備系受信パッケージとを有し、それぞれの受信パッケージには、そのＳＴＭ信号を受信し、そのＳＴＭ信号からＡＴＭセルを取り出してＡＴＭセルストリームとして下流側に流し、接続品質または伝送品質が異常であった場合にライン状態信号を出力する終端部と、入力された前記ライン状態信号に対応するＡＴＭセルを特定し、そのＡＴＭセルを指定する信号を出力するＶＰＩ挿入制御部と、入ってきたＡＴＭセルストリームのうち、入力された前記ＡＴＭセル指定信号により指定されるＡＴＭセルのヘッダのＶＰＩに予め設定されている固定値を挿入し、そのＡＴＭセルストリームを下流側に流すＶＰＩ挿入部とが設けられ、さらに、ＶＰＩ挿入部から送り出される現用系ＡＴＭセルストリームと予備系ＡＴＭセルストリームとが同期されて入力され、両系統それぞれのＡＴＭセルごとのセルヘッダのＶＰＩ値を比較し、ＡＴＭセルを選択指示するセル選択制御信号を出力するセル選択制御信号発生部と、ＶＰＩ挿入部から送り出される現用系ＡＴＭセルストリームと予備系ＡＴＭセルストリームとが同期されて入力され、入力される前記セル選択制御信号の指示により対象のＡＴＭセルを選択通過させ、ＡＴＭセルストリームとして下流側に流すセル選択フィルター部とが設けられることを特徴とする。
【００１６】
この装置では、現用系ＡＴＭセルと予備系ＡＴＭセルを一つのユニットに集合させて有用なＡＴＭセルのみを透過させ選択するフィルター作用を採用することによって、スイッチ切替え方式を回避でき、データ瞬断の防止が可能となった。
また、有用なＡＴＭセルを識別するためにＡＴＭセルヘッダ部分のＶＰＩ値を活用することに着目し、ＡＴＭセルの通信品質情報を挿入することによって、ＡＴＭセルごとの通信品質を確実に確認できるようになった。
なお、セル選択フィルター部にセル選択制御信号の代わりに外部からセルを選択する指示信号を入力することによって、意図的に現用系ＡＴＭセル、予備系ＡＴＭセルの切替えを行うことも可能である。
【００１７】
このフィルター装置のうち、前記終端部におけるライン状態信号の出力条件となる接続品質または伝送品質の異常は受信段階での回線断の検知または受信した段階のＳＴＭ信号のフレーム内のセクションオーバーヘッド部に含まれるＫ１／Ｋ２バイト情報の読み取りによって認識される。すなわち、これらの情報をもとにＡＴＭセルのＶＰＩにＡＴＭセルの通信品質情報が挿入されることになる。
【００１８】
また、前記セル選択制御信号発生部におけるＡＴＭセル選択設定条件は、現用系ＡＴＭセルのＶＰＩ値のみが設定固定値である場合は予備系のＡＴＭセルを選択し通過させ、現用系、予備系ともにＶＰＩ値が設定固定値である場合はいずれのＡＴＭセルも通過させず、それら以外の場合は現行系のＡＴＭセルを選択し通過させる条件とする。この現用系ＡＴＭセルと予備系ＡＴＭセルのＶＰＩ値を比較選択するロジックを持たせることによって正常な通信品質の確保が可能となった。
【００１９】
さらに、前記セル選択制御信号生成部において現用系、予備系いずれのＡＴＭセルも通過させない条件となる場合にその空きセルを指定する信号を出力し、前記セル選択フィルター部から入ってきたＡＴＭセルストリームのうち、入力された前記セル指定信号により指定される空きセル部分にＡＩＳセルを挿入するＡＩＳ挿入部を有する。
これによって、ＡＴＭセルを選択判断するユニットとＡＩＳセル挿入を判断するユニットとが同一となり、現用系、予備系いずれの回線にも異常がある場合に空きセル部分へのＡＩＳセルの確実な挿入が可能となる。また、ユニット数の低減につながっており、装置の簡素化が達成されている。
【００２０】
【発明の実施の形態】
本発明の第一の実施の形態について図１を参照して説明する。
図１に示される本願発明のＳＤＨ回線の二重化送受信装置は、
現用系ライン４に接続されている受信側終端部１０とＶＰＩ挿入制御部１１とＶＰＩ挿入部１２と送信側生成部１３とを備える現用系パッケージ１と、
予備系ライン５に接続されている受信側終端部１５とＶＰＩ挿入制御部１６とＶＰＩ挿入部１７と送信側生成部１８とを備える予備系パッケージ２と、
セル選択制御信号生成部２０とセル選択フィルター部２１とＡＩＳ挿入部２２とバッファリング２３とを備える共通パッケージ３と、
から構成されている。
装置構成ユニットのうち、受信側終端部１０、１５とＶＰＩ挿入制御部１１、１６とＶＰＩ挿入部１２、１７とセル選択制御信号生成部２０とセル選択フィルター部２１とＡＩＳ挿入部２２とが受信に関わっており、送信側生成部１３、１８とバッファリング２３とが送信に関わっている。なお、図中の矢印は各ユニット間の信号のやり取りを示している。
【００２１】
つぎに、二重化されたＳＴＭ信号を受信し、二重化送受信装置を経由してＡＴＭセルストリームを下流に伝達するまでの信号の流れに基づき、ＡＴＭセルストリームフィルター方式を説明する。
（１）ＳＴＭ信号の受信、終端処理
▲１▼現用系パッケージ１；
ａ）受信側終端部１０において現用系ライン４を経由してペイロード部にＡＴＭセルを含むＳＴＭ信号を光信号Ｌ１として受信する。このとき、同時に現用系ラインの回線状態（回線断の有無）をモニターする。
ｂ）受信した光信号Ｌ１を受信側終端部１０において、光／電気変換し、そのＳＴＭ信号についてセクションオーバヘッド、ポインタ、パスオーバヘッド及びＡＴＭセル同期の各終端処理を行い、現用系ラインの回線状態モニター結果も加味してＡＴＭセルａ１とライン状態信号ｂ１とを得る。
ライン状態信号ｂ１はセクションオーバヘッドの１要素であるＫ１／Ｋ２バイトの情報と現用系ラインの回線状態モニター結果情報である。
ｃ）受信側終端部１０からＡＴＭセルａ１はＶＰＩ挿入部１２へ、ライン状態信号ｂ１はＶＰＩ挿入制御部１１へと出力される。
ここで、ＡＴＭセルａ１は経時的に見ると次々に出力されるため、現用系のＡＴＭセルの流れ（現用系ＡＴＭセルストリーム）が形成されている。
▲２▼予備系パッケージ２；
予備系パッケージにおいても基本的に現用系パッケージと同様な処理が行われる。
ａ）受信側終端部１５において予備系ライン５を経由してペイロード部にＡＴＭセルを含むＳＴＭ信号を光信号Ｌ３として受信する。このとき、同時に現用系ラインの回線状態（回線断の有無）をモニターする。
ｂ）受信した光信号Ｌ３を受信側終端部１５において、光／電気変換し、そのＳＴＭ信号についてセクションオーバヘッド、ポインタ、パスオーバヘッド及びＡＴＭセル同期の各終端処理を行い、現用系ラインの回線状態モニター結果も加味してＡＴＭセルａ３とライン状態信号ｂ２とを得る。
ライン状態信号ｂ２はセクションオーバヘッドの１要素であるＫ１／Ｋ２バイトの情報と予備系ラインの回線状態モニター結果情報である。
ｃ）受信側終端部１５からＡＴＭセルａ３はＶＰＩ挿入部１７へ、ライン状態信号ｂ２はＶＰＩ挿入制御部１６へと出力される。
ここで、ＡＴＭセルａ３は経時的に見ると次々に出力されるため、予備系のＡＴＭセルの流れ（予備系ＡＴＭセルストリーム）が形成されている。
【００２２】
（２）ＶＰＩ挿入
▲１▼現用系パッケージ；
イ）ＶＰＩ挿入制御部１１；
ＶＰＩ挿入制御部１１において入力されたライン状態信号ｂ１を基にＫ１／Ｋ２バイト情報を解釈し、次のようにＶＰＩ挿入制御信号ｃ１を生成し、ＶＰＩ挿入部１２へ出力する。
ａ）現用系ＡＴＭセルａ１の接続品質または伝送品質が異常である場合、ＶＰＩ挿入制御信号ｃ１をアクティブにする。
ｂ）接続品質または伝送品質が正常である場合、ＶＰＩ挿入制御信号ｃ１をハイインピーダンス出力とする。
ロ）ＶＰＩ挿入部１２；
上記ＶＰＩ挿入制御信号ｃ１の状態ａ）、ｂ）に対応して、現用系ＡＴＭセルヘッダのＶＰＩセクションに次のような処理が施される。
状態ａ）：予め設定されている固定値のＶＰＩ値を挿入し、そのＡＴＭセルａ２をセル選択制御信号生成部２０、セル選択フィルター部２１へ伝送する。
状態ｂ）：ＶＰＩ挿入部１２に入力されるＡＴＭセルａ１を現用系ＡＴＭセルａ２としてそのままセル選択制御信号生成部２０、セル選択フィルター部２１へ伝送する。
▲２▼予備系パッケージ２；
予備系パッケージにおいても基本的に現用系パッケージと同様な処理が行われる。
イ）ＶＰＩ挿入制御部１６；
ＶＰＩ挿入制御部１６において入力されたライン状態信号ｂ２を基にＫ１／Ｋ２バイト情報を解釈し、次のようにＶＰＩ挿入制御信号ｃ２を生成し、ＶＰＩ挿入部１７へ出力する。
ａ）予備系ＡＴＭセルａ３の接続品質または伝送品質が異常である場合、ＶＰＩ挿入制御信号ｃ２をアクティブにする。
ｂ）接続品質または伝送品質が正常である場合、ＶＰＩ挿入制御信号ｃ２をハイインピーダンス出力とする。
ロ）ＶＰＩ挿入部１７；
上記ＶＰＩ挿入制御信号ｃ２の状態ａ）、ｂ）に対応して、予備系ＡＴＭセルヘッダのＶＰＩセクションに次のような処理が施される。
状態ａ）：予め設定されている固定値のＶＰＩ値を挿入し、そのＡＴＭセルａ４をセル選択制御信号生成部２０、セル選択フィルター部２１へ伝送する。
状態ｂ）：ＶＰＩ挿入部１７に入力されるＡＴＭセルａ３を予備系ＡＴＭセルａ４としてそのままセル選択制御信号生成部２０、セル選択フィルター部２１へ伝送する。
なお、現用系ＡＴＭセルａ２と予備系ＡＴＭセルａ４とはセル選択フィルター部２１へ到達した時点で同期されている。
【００２３】
（３）現用系・予備系ＡＴＭセルの選択
▲１▼セル選択制御信号生成部２０；
セル選択制御信号生成部２０において、入力された現用系、予備系ＡＴＭセルａ２、ａ４のヘッダのＶＰＩ値を比較し、次のようにセル選択制御信号ｄ１を生成し、セル選択フィルター部２１へ出力する。
ａ）現用系ＡＴＭセルａ２の接続品質及び伝送品質が正常である場合、予備系ＡＴＭセルａ４の接続品質、伝送品質の状態に関わらず、現用系ＡＴＭセルａ２を出力させるようにセル選択制御信号ｄ１を予め設定してある固定値（例えば＋１）として、その信号ｄ１をセル選択フィルター部２１へ出力する。
ｂ）現用系ＡＴＭセルａ２の接続品質または伝送品質が異常で、予備系ＡＴＭセルａ４の接続品質及び伝送品質が正常である場合、予備系ＡＴＭセルａ４を出力させるように出力制御信号ｄ１を予め設定してある上記ａ）とは異なる固定値（例えば−１）として、その信号ｄ１をセル選択フィルター部２１へ出力する。
ｃ）現用系ＡＴＭセルａ２、予備系ＡＴＭセルａ４ともに接続品質または伝送品質が異常である場合、いずれのＡＴＭセルも出力させないように出力制御信号ｄ１予め設定してある上記ａ）ｂ）とは異なる固定値（例えば０）として、その信号ｄ１をセル選択フィルター２１へ出力する（出力制御信号ｄ１を出力せず、ハイインピーダンス出力としてもよい）。
▲２▼セル選択フィルター２１；
上記セル選択制御信号ｄ１の状態ａ）、ｂ）、ｃ）に対応して、ＡＴＭセルが次のように選択されＡＩＳ挿入部２２へ伝送される。
状態ａ）：セル選択フィルター２１において現用系ＡＴＭセルａ２を選択透過させＡＩＳ挿入部２２へ伝送する（予備系ＡＴＭセルａ４は選択透過されない）。
状態ｂ）：セル選択フィルター２１において予備系ＡＴＭセルａ４を選択透過させＡＩＳ挿入部２２へ伝送する（現用系ＡＴＭセルａ２は選択透過されない）。
状態ｃ）：現用系ＡＴＭセルａ２、予備系ＡＴＭセルａ４ともに選択透過されない。
【００２４】
（４）ＡＩＳセルの挿入
▲１▼セル選択制御信号生成部２０；
セル選択制御信号生成部２０において、上記セル選択制御信号ｄ１の状態ａ）、ｂ）、ｃ）に対応して、次のようにＡＩＳ挿入制御信号ｅ１を生成し、ＡＩＳ挿入部２２へ出力する。
ａ）上記セル選択制御信号ｄ１の状態ｃ）の場合（現用系ＡＴＭセルａ２、予備系ＡＴＭセルａ４ともに接続品質または伝送品質が異常である場合）、ＡＩＳ挿入制御信号ｅ１をアクティブにする。
ｂ）上記以外の場合、ＡＩＳ挿入制御信号ｅ１をハイインピーダンス出力とする。
▲２▼ＡＩＳ挿入部２２；
上記ＡＩＳ挿入制御信号ｅ１の状態ａ）、ｂ）に対応して、ＡＩＳセルが対応する空きセルに次のように挿入される。
状態ａ）：ＡＩＳセルを対応する空きセルに挿入する。
状態ｂ）：ＡＩＳ挿入部３１に入力されるセルａ５をそのまま下流へ流す（何もしない）。
以上の受信側処理によって正常な通信品質が確保されたＡＴＭセルストリームが下流に伝送され、現用系、予備系両方の回線で故障（回線断など）が発生したために通信品質が確保されなかったセルには警報を意味するＡＩＳセルが挿入される。
なお、二重化送受信装置の送信側の信号処理は従来例と同様である。
【００２５】
つぎに、本発明の第二の実施の形態について図２を参照して説明する。
図２に示される本願発明のＳＤＨ回線の二重化送受信装置は、
現用系ライン５４に接続されている受信側終端回路６０とセルヘッダ処理回路６１と送信側生成回路６３とを備える現用系パッケージ５１と、
予備系ライン５５に接続されている受信側終端回路６５とセルヘッダ処理回路６６と送信側生成回路６８とを備える予備系パッケージ５２と、
セル選択フィルター回路７１とアラーム挿入回路７２と波形改善回路７３とを備える共通パッケージ５３と、
から構成されている。
装置構成ユニットのうち、受信側終端回路６０、６５とセルヘッダ処理回路６１、６６とセル選択フィルター回路７１とアラーム挿入回路７２とが受信に関わっており、送信側生成回路６３、６８と波形改善回路７３とが送信に関わっている。なお、図中の矢印は各ユニット間の信号のやり取りを示している。
ここで、受信側終端回路６０、６５は実施例１（図１）における受信側終端部１０、１５と同等の機能を持った回路であり、実施例１における（１）ＳＴＭ信号の受信、終端処理と同様の作用効果が行われるものである。
セルヘッダ処理回路６１、６６は実施例１（図１）におけるＶＰＩ挿入制御部１１、１６とＶＰＩ挿入部１２、１７との機能を併せ持った回路であり、実施例１における（２）ＶＰＩ挿入と同様の作用効果が行われるものである。
セル選択フィルター回路７１は実施例１（図１）におけるセル選択制御信号生成部２０とセル選択フィルター部２１との機能を併せ持った回路であり、実施例１における（３）現用系・予備系ＡＴＭセルの選択と同様の作用効果が行われるものである。
アラーム挿入回路７２は実施例１（図１）におけるＡＩＳ挿入部２２と同等の機能をもった回路であり、実施例１における（４）ＡＩＳセルの挿入と同様の作用効果が行われるものである。
なお、送信側生成回路６３、６８と波形改善回路７３は実施例１（図１）における送信側生成部１３、１８とバッファリング２３と同等の機能を持ち、同様な作用効果が行われる。
【００２６】
【発明の効果】
以上のように本願発明の方法によれば、現用系ＡＴＭセルと予備系ＡＴＭセルを一箇所に集合させて有用なＡＴＭセルのみを透過させ選択するフィルター作用を採用することによって、スイッチ切替え方式を回避でき、データ瞬断の防止が可能となる。
また、有用なＡＴＭセルを識別するためにＡＴＭセルヘッダ部分のＶＰＩ値を活用することに着目し、ＡＴＭセルのＶＰＩセクションに受信段階での回線断の検知または受信した段階のＳＴＭ信号のフレーム内のセクションオーバーヘッド部に含まれるＫ１／Ｋ２バイト情報から認識された通信品質情報（接続品質または伝送品質）を挿入することによって、ＡＴＭセルごとの通信品質を確実に確認できるようにし、現用系ＡＴＭセルと予備系ＡＴＭセルのＶＰＩ値を比較選択するロジックを持たせることによって正常な通信品質の確保が可能となる。
さらに、現用系、予備系いずれの回線にも異常があることを検知判定する根拠がＡＴＭセルを選択判断する場合とＡＩＳセル挿入を判断する場合とで同一となり、空きセル部分へのＡＩＳセルの確実な挿入が可能となる。
【００２７】
本願発明の装置によれば、現用系ＡＴＭセルと予備系ＡＴＭセルを一つのユニットに集合させて有用なＡＴＭセルのみを透過させ選択するフィルター作用を採用することによって、スイッチ切替え方式を回避でき、データ瞬断の防止が可能となる。
また、有用なＡＴＭセルを識別するためにＡＴＭセルヘッダ部分のＶＰＩ値を活用することに着目し、ＡＴＭセルの通信品質情報を挿入することによって、ＡＴＭセルごとの通信品質を確実に確認できるようになる。
【００２８】
このフィルター装置のうち、終端部におけるライン状態信号の出力条件となる接続品質または伝送品質の異常は受信段階での回線断の検知または受信した段階のＳＴＭ信号のフレーム内のセクションオーバーヘッド部に含まれるＫ１／Ｋ２バイト情報の読み取りによって認識される情報をもとにＡＴＭセルのＶＰＩにＡＴＭセルの通信品質情報が挿入されることになる。
また、この現用系ＡＴＭセルと予備系ＡＴＭセルのＶＰＩ値を比較選択するロジックを持たせることによって正常な通信品質の確保が可能となる。
ＡＴＭセルを選択判断するユニットとＡＩＳセル挿入を判断するユニットとが同一となり、現用系、予備系いずれの回線にも異常がある場合に空きセル部分へのＡＩＳセルの確実な挿入が可能となる。また、ユニット数の低減につながっており、装置の簡素化が達成されている。
【図面の簡単な説明】
【図１】本願発明の一実施の形態を示す二重化送受信装置ブロック構成図である。
【図２】本願発明の一実施の形態を示す二重化送受信装置ブロック構成図である。
【図３】従来の二重化送受信装置のブロック構成図である。
【符号の説明】
１、５１，１０１  現用側パッケージ
２、５２，１０２  予備側パッケージ
３、５３，１０３  共通パッケージ
４、５４、１０４  現用側ライン
５、５５，１０５  予備側ライン
Ｌ１、Ｌ３、Ｌ５１、Ｌ５３、Ｌ１０１、Ｌ１０３  受信側光信号
Ｌ２、Ｌ４、Ｌ５２、Ｌ５４、Ｌ１０２、Ｌ１０４  送信側光信号
１０、１５、１１０、１１５  受信側終端部
１１、１６  ＶＰＩ挿入制御部
１２、１７  ＶＰＩ挿入部
ｂ１、ｂ２、ｋ１、ｋ２  ライン状態信号
ａ１、ａ２、ａ３、ａ４、ａ５、ａ６、ａ７、ａ８、ａ９、ａ１０、ａ１１、ａ１２、ａ１３、ａ１４、ｆ１、ｆ２、ｆ３、ｆ４、ｆ５、ｆ６  主信号（ＡＴＭセル）
ｇ１、ｇ２  主信号（ＡＴＭセル）  とライン状態信号
ｃ１、ｃ２  ＶＰＩ挿入制御信号
１３、１８、１１３、１１８  送信側生成部
２０  セル選択制御信号生成部
ｄ１  セル選択制御信号
２１  セル選択フィルター部
２２、１２２  ＡＩＳ挿入部
２３、１２３  バッファリング
ｅ１、ｅ２  ＡＩＳ挿入制御信号
６３、６８  受信側終端回路
６１、６６  セルヘッダ処理回路
６３、６８  送信側生成回路
７１  セル選択フィルター回路
７２  アラーム挿入回路
７３  波形改善回路
１１１、１１６  ＡＰＳ情報抽出部
１１２、１１７  出力制御部
ｈ１、ｈ２  セクションオーバヘッド信号
ｉ１、ｉ２  ＡＰＳ信号
１１９  出力制御信号生成部
ｊ１、ｊ２  出力制御信号
１２０  ＡＩＳ挿入制御部
【図１】
0003603955.tif 000002
【図２】
0003603955.tif 000003
【図３】
0003603955.tif 000004